(57)【要約】【課題】この発明は、落下した際に際限なく巻きだされることを回避でき、作業性に優れかつ低コストのテープの巻き出し防止用治具を得ることを課題とする。【解決手段】中央部が開口されたコアに巻きつけられて使用されるテープの巻き出し防止用治具において、前記コア１の周縁部の一部を該コア１の半径方向に沿って巻回するように環状に取り付けられるバンド本体４と、このバンド本体４の端部同士を係合してループ状にするかしめ部材５とを具備することを特徴とするテープの巻き出し防止用治具。【選択図】    図１
2008297096.tif 000002
【特許請求の範囲】
【請求項１】
中央部が開口されたコアに巻きつけられて使用されるテープの巻き出し防止用治具において、
前記コアの周縁部の一部を該コアの半径方向に沿って巻回するように環状に取り付けられるバンド本体を具備することを特徴とするテープの巻き出し防止用治具。
【請求項２】
バンド本体はバンド状の形状をしており、そのバンド本体の端部同士を係合してループ状にする結束手段を更に具備することを特徴とする請求項１記載のテープの巻き出し防止用治具。
【請求項３】
前記結束手段は、バンド本体の両端部を互にオーバーラップさせ又は突合わせ、このオーバーラップ部分又は突合わせ部分をかしめるように配置された筒状のかしめ部材であることを特徴とする請求項２記載のテープ巻き出し防止用治具。
【請求項４】
前記かしめ部材は、互に近接して配置された第１のかしめ部材及び第２のかしめ部材からなることを特徴とする請求項３記載のテープ巻き出し防止用治具。
【請求項５】
前記結束手段は、バンド本体の一方の端部に取り付けられた第１の係止具と、バンド本体の他方の端部に取り付けられ，第１の係止具と取り外し自在に係合する第２の係止具とかなることを特徴とする請求項２記載のテープ巻き出し防止用治具。
【請求項６】
前記結束手段は、バンド本体の一方の端部に取り付けられた第１のマジックバンドと、バンド本体の他方の端部に取り付けられ，第１のマジックバンドと取り外し自在に係合する第２のマジックバンドとからなることを特徴とする請求項２記載のテープ巻き出し用治具。
【請求項７】
前記結束手段は、接着剤であることを特徴とする請求項２記載のテープ巻き出し防止用治具。
【請求項８】
前記コアの半径方向に該コアの開口部分に達するスリットが形成され、前記バンド本体がエンドレス状のバンド本体であることを特徴とする請求項１記載のテープ巻き出し防止用治具。
【発明の詳細な説明】
【技術分野】
【０００１】
この発明は、特に四フッ化エチレン樹脂生テープ，紙テープ等の抵抗なく送出しやすいテープの巻き出し落下防止用治具に関する。
【背景技術】
【０００２】
周知の如く、油，溶剤，化学薬品，水等の配管ねじ継手や、ボルト，ナット部等のねじ継手をシールする目的で四フッ化エチレン樹脂生テープが広く用いられている。この四フッ化エチレン樹脂生テープは、一般に中央部が開口されたコアに複数層巻かれているが、セロテープ（登録商標）等の裏面に粘着剤が塗布されたテープと比べて滑り性が良く、落下した際に際限なくテープが巻きだされてしまう問題があった。また、このように巻きだされた四フッ化エチレン樹脂生テープは、落下した際にテープにゴミ等が付着ししまう為、使用不可能になる場合が多く、作業上も非常に不便であった。そこで、落下した際に際限なくテープが巻きだされるのを防止する必要があった。この対策として、コアに巻き出し防止用の細工をすることが考えられるが、四フッ化エチレン樹脂生テープ自体のコストが安価であるため、あまり費用をかけることはできなかった。
【０００３】
なお、従来、粘着テープを巻回した粘着テープの積層体を形成するために用いられるコアとしては、特許文献１が知られている。しかし、粘着テープの場合は、作業中に誤って落下させても四フッ化エチレン樹脂生テープのように粘着テープが際限なく巻きだされることはない。なお、現在、四フッ化エチレン樹脂生テープにおいて、テープの巻き出し落下防止用手段を講じた製品は知られていない。
【特許文献１】特開平１０−１７２１６号公報
【発明の開示】
【発明が解決しようとする課題】
【０００４】
この発明はこうした事情を考慮してなされたもので、落下した際に際限なく巻きだされることを回避しえる、作業性に優れかつ低コストの四フッ化エチレン樹脂生テープの巻きだし落下防止用治具を提供することを目的とする。
【課題を解決するための手段】
【０００５】
この発明のテープの巻き出し防止用治具は、中央部が開口されたコアに巻きつけられて使用されるテープの巻き出し防止用治具において、前記コアの周縁部の一部を該コアの半径方向に沿って巻回するように環状に取り付けられるバンド本体を具備することを特徴とする。
【発明の効果】
【０００６】
この発明によれば、落下した際に際限なく巻きだされることを回避でき、作業性に優れかつ低コストのテープの巻き出し防止用治具が得られる。
【発明を実施するための最良の形態】
【０００７】
以下、この発明のテープの巻き出し防止用治具について更に詳しく説明する。  
この発明において、前記バンド本体としては例えば弾性体が挙げられる、ここで、弾性体としては、ポリブタジエン系、ブタジエン・アクリロニトリル共重合体系、クロロプレン系、イソプレン系、クロロプレン系、スチレン系、スチレン・ブタジエン共重合体系、イソブチレン・イソプレン共重合体系、エチレン・プロピレンターポリマー系、ポリクロロプレン系、クロロ・スルフォン化ポリエチレン系、ポリウレタン系、有機ポリサルファイド系、有機ポリシロキサン系、６フッ化プロピレンフッ化ビニリデン共重合体系、アクリル酸エステル共重合体系のいずれかからなるゴム、あるいは天然ゴムとしてのポリイソプレンが挙げられる。
【０００８】
この発明において、前記結束手段としては、例えば下記の場合が挙げられる。  
（１）バンド本体の両端部を互にオーバーラップさせ又は突合わせ、このオーバーラップ部分又は突合わせ部分をかしめるように配置された筒状のかしめ部材である結束手段。ここで、かしめ部材の材質としては、例えば金属製が挙げられる。また、かしめ部材は１個所に設けても、２個所に設けてもよい。
【０００９】
（２）バンド本体の一方の端部に取り付けられた第１の係止具と、バンド本体の他方の端部に取り付けられ，第１の係止具と取り外し自在に係合する第２の係止具とかなる結束手段。ここで、第１の係止具及び第２の係止具の材質としては、金属製又は樹脂製が挙げられる。  
（３）バンド本体の一方の端部に取り付けられた第１のマジックバンドと、バンド本体の他方の端部に取り付けられ，第１のマジックバンドと取り外し自在に係合する第２のマジックバンドとからなる結束手段。  
（４）接着剤。即ち、同材質のゴム糊。
【００１０】
この発明において、コアの半径方向に該コアの開口部分（開口部）に達するスリットが形成され、前記バンド本体がエンドレス状のバンド本体である場合が挙げられる。このケースは、後述する図７の場合が該当する。エンドレス状のバンド本体は、テープをコアに巻回する前に、バンド本体の一部をスリットからコアの開口部に入れることにより、コアの半径方向に沿って巻回するように環状に取り付ける。
【００１１】
この発明において、巻き出し防止用治具が弾性体からなるバンド本体と該バンド本体の両端部を係合する結束手段とから構成される場合、前記バンド本体又は結束手段は、テープが位置する部分とその他の部分とをスムーズに移動可能な状態にあることが好ましい。これは、次のような理由による。即ち、テープが位置する部分に金属あるいは樹脂製の結束手段があると、テープに傷が付きやすく、落下時に巻き出し防止効果が得られない。このことから、テープを使用する際はバンド本体がテープの位置する部分にあるように、バンド本体がテープの位置する部分とその他のコア部分（コアの側面等）とを移動できる状態にあることが好ましい。
【００１２】
次に、この発明の具体的な実施例について説明する。  
（実施例１）  
図１（Ａ）〜（Ｃ）を参照する。ここで、図１（Ａ）はこの実施例１に係るテープの巻き出し防止用治具の全体を示す図、図１（Ｂ）は図１（Ａ）の正面図、図１（Ｃ）は図１（Ｂ）の要部（Ｘ部）の拡大図をしめす。
【００１３】
図中の１は、中央部が開口されたコアを示す。このコア１の芯体１ａには、シールテープ２が複数層周方向に沿って積層されている。コア１には、コア１の周縁部の一部を該コア１の半径方向に沿って巻回するように巻き出し防止用治具３が取り付けられている。巻き出し防止用治具３は、弾性体（例えば天然ゴム）からなるバンド本体４と、このバンド本体４の端部４ａ，４ｂ同士をかしめにより係合してループ状にするループ状のかしめ部材（結束手段）５から構成されている。バンド本体４は、シールテープ２が位置する部分と、その他の部分（コアの側部とコアの芯体の裏側部）とを移動可能な状態にある。従って、シールテープ２を使用するときは、シールテープ２が位置する部分に結束手段５が存在せず、バンド本体４が存在するように移動させる。
【００１４】
実施例１のテープの巻き出し防止用治具は、弾性体からなるバンド本体４と、このバンド本体４の端部４ａ，４ｂ同士をかしめにより係合してループ状にするかしめ部材５から巻き出し防止用治具３が構成されている。従って、シールテープ２を使用するときは、シールテープ２が位置する部分にバンド本体４が存在するようにすることにより、シールテープ２をスムーズに巻き出しすることができる。
【００１５】
なお、上記実施例１では、バンド本体の端部同士をオーバーラップするように重ね合わせるように配置して、かしめた場合について述べたが、これに限らない。例えば、図２に示すように、バンド本体４の端部４ａ，４ｂ同士を突合わせように配置して、かしめ部材５でかしめてもよい。  
図３は、実施例１のシールテープ２を巻き出しする際の様子を示す。図３から分かるように、バンド本体４が弾性体であるので、シールテープ２を取り出す際、バンド本体４が伸び、シールテープ２はスムーズに送られる。
【００１６】
（実施例２）  
図４は、この発明の実施例２に係るテープの巻きだし落下防止用治具の要部を示す。図３は、バンド本体と結束具の結束状態を部分的に示している。但し、図１と同部材は同符番を付して説明を省略する。  
実施例２では、かしめ部材は、第１のかしめ部材５１と、この第１のかしめ部材５１と隣接して配置された第２のかしめ部材５２とから構成されている。両かしめ部材５１，５２は、シールテープ２の幅より小さい距離で隣接している。実施例２において、シールテープ２を使用するときは、シールテープ２が位置する部分にバンド本体４が存在するようにすることにより、シールテープ２をスムーズに巻き出しすることができる。  
実施例２によれば、実施例１と同様な効果を有する。
【００１７】
（実施例３）  
図５は、この発明の実施例３に係るテープの巻きだし落下防止用治具の要部を示す。但し、図１と同部材は同符番を付して説明を省略する。  
実施例３において、結束手段は、バンド本体４の一方の端部４ａに取り付けられた金属製の第１の係止具６と、バンド本体４の他方の端部４ｂに取り付けられ，第１の係止具６と取り外し自在に係合する金属製の第２の係止具７とから構成されている。実施例３において、シールテープ２を使用するときは、第１・第２の係止具６，７を係合させ、シールテープ２が位置する部分にバンド本体４が存在するようにすることにより、シールテープ２をスムーズに巻き出しすることができる。  
実施例３によれば、実施例１と同様な効果を有する。
【００１８】
（実施例４）  
図６は、この発明の実施例４に係るテープの巻きだし落下防止用治具の要部を示す。但し、図１と同部材は同符番を付して説明を省略する。  
実施例４において、結束手段は、バンド本体４の一方の端部４ａに取り付けられた第１のマジックバンドとしての樹脂製のオス型マジックテープ（登録商標）８と、バンド本体４の他方の端部４ｂに取り付けられ，オス型マジックテープ８と取り外し自在に係合する第２のマジックバンドとしての樹脂製のメス型マジックテープ９とから構成されている。なお、巻き出し防止用治具３は、コアに対して環状に取り付けて使用されるので、例えばマジックテープ８の裏面側とマジックテープ９の表面側が係合するようになっている。従って、巻き出し防止用治具３を環状にしたとき、内側に位置するマジックテープが滑り性を有していることが必要である。
【００１９】
実施例４において、シールテープ２を使用するときは、マジックテープ８，９を係合させ、シールテープ２が位置する部分にバンド本体４が存在するようにすることにより、シールテープ２をスムーズに巻き出しすることができる。  
実施例４によれば、実施例１と同様な効果を有する。
【００２０】
（実施例５）  
図７を参照する。図７は、中央部が開口されたコア１に改良を施したものである。図７中の符番１１は、コア１の半径方向に形成されたスリットを示す。ここで、スリット１１は、コアの外周縁部から中央部の開口された部分（開口部）１２まで達しており、スリット１１を経て環状の（エンドレス状の）バンド本体１３をコア１に掛止できるようになっている。スリット１１の幅は特に限定されず、コア１に切れ目を入れた程度でもよい。こうした構成のコア１にシールテープを巻くときは、予めコア１にバンド本体１３を掛止した状態で行う。  
実施例５によれば、テープの巻きだし落下防止用治具の一構成であるコア１を成型等により簡単に作ることができるとともに、コア１のスリット１１からエンドレス状のバンド本体１３をコア１に掛止できるので、実施例１〜４のように結束手段を設ける必要がない。
【００２１】
なお、この発明は、上記実施例そのままに限定されるものではなく、実施段階ではその要旨を逸脱しない範囲で構成要素を変形して具体化できる。また、上記実施形態に開示されている複数の構成要素の適宜な組み合わせにより種々の発明を形成できる。例えば、実施例に示される全構成要素から幾つかの構成要素を削除してもよい。更には、異なる形態に亘る構成要素を適宜組み合せてもよい。一例を述べれば、前記結束手段は、かしめ部材等の代わりに、バンド本体の端部同士を接着剤，即ち同材質のゴム糊で接合してもよい。
【図面の簡単な説明】
【００２２】
【図１】図１は、本発明の実施例１に係るテープの巻き出し防止用治具の説明図を示す。
【図２】図２は、図１（Ｃ）の変形例を示すテープの巻き出し防止用治具の説明図を示す。
【図３】図３は、図1の巻き出し防止用治具の作用を説明するための説明図を示す。
【図４】図４は、本発明の実施例2に係るテープ巻き出し防止用治具の要部の説明図を示す。
【図５】図５は、本発明の実施例３に係るテープ巻き出し防止用治具の説明図を示す。
【図６】図６は、本発明の実施例４に係るテープ巻き出し防止用治具の説明図を示す。
【図７】図７は、本発明の実施例５に係るテープ巻き出し防止用治具の一構成であるコアの平面図を示す。
【符号の説明】
【００２３】
１…コア、２…シールテープ、３…テープ巻き出し防止用治具、４，１３…バンド本体、５，５１，５２…かしめ部材（締結手段）、６，７…係止具、８，９…マジックテープ、１１…スリット、１２…開口部。
【図１】
2008297096.tif 000003
【図２】
2008297096.tif 000004
【図３】
2008297096.tif 000005
【図４】
2008297096.tif 000006
【図５】
2008297096.tif 000007
【図６】
2008297096.tif 000008
【図７】
2008297096.tif 000009